【手続補正書】
【提出日】平成26年2月4日(2014.2.4)
【手続補正１】
【補正対象書類名】特許請求の範囲
【補正対象項目名】全文
【補正方法】変更
【補正の内容】
【特許請求の範囲】
【請求項１】
入力信号の周波数変換を行い、変換後信号を出力する複数の周波数変換部と、
前記複数の周波数変換部それぞれが出力する前記変換後信号を合成し、合成信号を出力する出力部と
を備え、
前記複数の周波数変換部は、１チップの半導体チップに形成されており、
前記複数の周波数変換部それぞれは、互いに別々の周波数帯域の変換後信号への周波数変換を行う
信号処理装置。
【請求項２】
前記周波数変換部は、所定の周波数帯域の信号を前記入力信号として周波数変換を行い、前記所定の周波数帯域よりも高い周波数帯域の変換後信号を出力する
請求項１に記載の信号処理装置。
【請求項３】
前記半導体チップには、前記変換後信号を合成し、前記合成信号を出力する合成部が、さらに形成されている
請求項２に記載の信号処理装置。
【請求項４】
前記合成部は、前記複数の周波数変換部それぞれの出力の接続線を接続する接続点である
請求項３に記載の信号処理装置。
【請求項５】
前記周波数変換部は、前記変換後信号を増幅するアンプを有し、
前記アンプは、入力側、及び、出力側のうちの、少なくとも出力側に、インダクタンス負荷を有する
請求項４に記載の信号処理装置。
【請求項６】
前記半導体チップには、パラレルデータをシリアルデータに変換する複数のP/S変換部が、さらに形成されており、
１つの前記周波数変換部は、１つの前記P/S変換部が出力するベースバンドの信号である前記シリアルデータの周波数変換を行う
請求項２に記載の信号処理装置。
【請求項７】
前記合成信号は、無線で送信される
請求項２に記載の信号処理装置。
【請求項８】
前記合成信号は、誘電体導波路を介して送信される
請求項７に記載の信号処理装置。
【請求項９】
前記周波数変換部は、ベースバンドの信号を、30GHz以上の周波数帯域の前記変換後信号に変換する周波数変換を行う
請求項２に記載の信号処理装置。
【請求項１０】
入力信号の周波数変換を行い、変換後信号を出力する複数の周波数変換部と、
前記複数の周波数変換部それぞれが出力する前記変換後信号を合成し、合成信号を出力する出力部と
を備え、
前記複数の周波数変換部は、１チップの半導体チップに形成されており、
前記複数の周波数変換部それぞれは、互いに別々の周波数帯域の変換後信号への周波数変換を行う
信号処理装置の前記周波数変換部が、入力信号の周波数変換を行い、変換後信号を出力し、
前記複数の周波数変換部それぞれが出力する前記変換後信号を合成し、合成信号を出力する
信号処理方法。
【請求項１１】
入力信号の周波数変換を行うことにより得られる変換後信号の周波数変換を行い、前記入力信号を出力する複数の周波数変換部を備え、
前記複数の周波数変換部は、１チップの半導体チップに形成されており、
前記複数の周波数変換部それぞれは、互いに別々の周波数帯域の変換後信号の周波数変換を行い、
前記複数の周波数変換部それぞれに、異なる周波数帯域の複数の変換後信号が合成された合成信号のうちの、少なくとも、その周波数変換部が周波数変換を行う対象の周波数帯域の変換後信号を分配する
信号処理装置。
【請求項１２】
前記周波数変換部は、所定の周波数帯域よりも高い周波数帯域の信号である変換後信号の周波数変換を行い、前記所定の周波数帯域の信号を出力する
請求項１１に記載の信号処理装置。
【請求項１３】
前記半導体チップには、前記複数の周波数変換部それぞれに、少なくとも、その周波数変換部が周波数変換を行う対象の周波数帯域の変換後信号を分配する分配部が、さらに形成されている
請求項１２に記載の信号処理装置。
【請求項１４】
前記分配部は、前記複数の周波数変換部それぞれの入力の接続線を接続する接続点である
請求項１３に記載の信号処理装置。
【請求項１５】
前記周波数変換部は、その周波数変換部に入力される信号を増幅するアンプを有し、
前記アンプは、入力側、及び、出力側のうちの、少なくとも入力側に、インダクタンス負荷を有する
請求項１４に記載の信号処理装置。
【請求項１６】
前記半導体チップには、シリアルデータをパラレルデータに変換する複数のS/P変換部が、さらに形成されており、
１つの前記周波数変換部は、その周波数変換部が周波数変換を行う対象の周波数帯域の変換後信号を、ベースバンドの信号である前記シリアルデータに周波数変換し、１つの前記S/P変換部に供給する
請求項１２に記載の信号処理装置。
【請求項１７】
前記合成信号は、無線で送信されてくる
請求項１２に記載の信号処理装置。
【請求項１８】
前記合成信号は、誘電体導波路を介して送信されてくる
請求項１７に記載の信号処理装置。
【請求項１９】
前記周波数変換部は、30GHz以上の周波数帯域の変換後信号を、ベースバンドの信号に変換する周波数変換を行う
請求項１２に記載の信号処理装置。
【請求項２０】
入力信号の周波数変換を行うことにより得られる変換後信号の周波数変換を行い、前記入力信号を出力する複数の周波数変換部を備え、
前記複数の周波数変換部は、１チップの半導体チップに形成されており、
前記複数の周波数変換部それぞれは、互いに別々の周波数帯域の変換後信号の周波数変換を行い、
前記複数の周波数変換部それぞれに、異なる周波数帯域の複数の変換後信号が合成された合成信号のうちの、少なくとも、その周波数変換部が周波数変換を行う対象の周波数帯域の変換後信号を分配する
信号処理装置が、前記複数の周波数変換部それぞれに、異なる周波数帯域の複数の変換後信号が合成された合成信号のうちの、少なくとも、その周波数変換部が周波数変換を行う対象の周波数帯域の変換後信号を分配し、
前記周波数変換部が、変換後信号の周波数変換を行い、前記入力信号を出力する
信号処理方法。
【請求項２１】
入力信号の周波数変換を行い、変換後信号を出力する複数の第１の周波数変換部と、
前記変換後信号の周波数変換を行い、前記入力信号を出力する複数の第２の周波数変換部と
を備え、
前記複数の第１の周波数変換部、及び、前記複数の第２の周波数変換部は、１チップの半導体チップに形成されており、
前記複数の第１の周波数変換部それぞれは、互いに別々の周波数帯域の変換後信号への周波数変換を行い、
前記複数の第１の周波数変換部それぞれが出力する前記変換後信号を合成し、合成信号を出力する
一方、
前記複数の第２の周波数変換部それぞれは、互いに別々の周波数帯域の変換後信号の周波数変換を行い、
前記複数の周波数変換部それぞれに、他の半導体チップからの合成信号のうちの、少なくとも、その周波数変換部が周波数変換を行う対象の周波数帯域の変換後信号を分配する
信号処理装置。
【手続補正２】
【補正対象書類名】明細書
【補正対象項目名】００１８
【補正方法】変更
【補正の内容】
【００１８】
デシリアライザ２０は、パッド２１、レシーバ２２、イコライザ２３，CDR(Clock and Data Recovery)２４，S/P変換部２５、ワードアラインメント部２６、及び、ビット変換部２７を有する。
【手続補正３】
【補正対象書類名】明細書
【補正対象項目名】００８２
【補正方法】変更
【補正の内容】
【００８２】
いま、スプリッタ４２を構成する３つのBPFのうちの、周波数が周波数friの変換後信号を抽出するためのBPFを、BPF'#iと表すこととすると、３つのBPF'#1,#2,#3、及び、その３つのBPF'#1ないし#3それぞれの入力の接続線を接続する接続点とで構成されるスプリッタ４２では、合成信号が、３つのBPF'#1ないし#3それぞれの入力の接続線を接続する接続点から、３つのBPF'#1ないし#3それぞれに供給される。そして、BPF'#iにおいて、中心周波数が周波数friの変換後信号が抽出され、受信部６１iに供給（分配）される。
【手続補正４】
【補正対象書類名】明細書
【補正対象項目名】０１７９
【補正方法】変更
【補正の内容】
【０１７９】
また、60G受信アンプ、及び、80G受信アンプそれぞれの入力の接続線を、単に接続した接続点に対して、60G帯信号と80G帯信号とを合成した合成信号を与えた場合には、合成信号に含まれる80G帯信号は、60G受信アンプの入力側で反射され、合成信号に含まれる60G帯信号は、80G受信アンプの入力側で反射されるので、合成信号に含まれる60G帯信号の60G受信アンプへの分配と、80G信号の80G受信アンプへの分配とは、60G受信アンプ、及び、80G受信アンプそれぞれの入力の接続線を、単に接続するだけで行うことができる。
【手続補正５】
【補正対象書類名】明細書
【補正対象項目名】０１８２
【補正方法】変更
【補正の内容】
【０１８２】
以上から、図４のRFアンプを、図３の送信部５１のアンプ７３、及び、受信部６１のアンプ８１として採用することにより、コンバイナ４１は、BPFなしで、送信部５１1ないし５１3それぞれの出力の接続線を接続する接続点だけで構成することができ、スプリッタ４２は、BPFなしで、受信部６１1ないし６１3それぞれの入力の接続線を接続する接続点だけで構成することができる。
【手続補正６】
【補正対象書類名】明細書
【補正対象項目名】０１９９
【補正方法】変更
【補正の内容】
【０１９９】
図１６は、60G受信アンプの出力側で反射される信号の位相特性(60GHz out return phase)、80G受信アンプの出力側で反射される信号の位相特性(80GHz out return phase)、及び、スプリッタ４２の入力側で反射される信号の位相特性(input return phase)を示している。